(57)【特許請求の範囲】
【請求項１】
掘削予定の地盤の周囲に山留壁を構築して前記地盤を一次掘削し、前記山留壁に沿って支持地盤まで掘削してラップルコンクリートを打設し、そのラップルコンクリートが硬化した後その上に基礎を構築するラップルコンクリート施工方法であって、
前記支持地盤まで掘削する際に、
掘削する地盤対象を山留壁に沿って横方向に所要幅で区画し、
前記区画された掘削地盤をＡ区画と、前記Ａ区画から一つ離れてＢ区画と、前記Ａ区画とＢ区画との間をＣ区画とし、
前記区画の掘削順序をＡ区画、Ｂ区画、Ｃ区画として、且つ、各区画の掘削後にラップルコンクリートを打設しその後に他の区画に移行し、
前記山留壁に水平切梁および棚杭を設けないで掘削するものであり、
前記Ｃ区画の山留壁における親杭は、他の区画の親杭よりも外形寸法及び肉厚寸法が大きく設定されていること、
を特徴とする分割掘削によるラップルコンクリート施工方法。
【請求項２】
掘削予定の地盤の周囲に山留壁を構築して前記地盤を一次掘削し、前記山留壁に沿って支持地盤まで掘削してラップルコンクリートを打設し、そのラップルコンクリートが硬化した後その上に基礎を構築するラップルコンクリート施工方法であって、  
前記支持地盤まで掘削する際に、
掘削する地盤対象を山留壁に沿って横方向に所要幅で区画し、
前記区画された掘削地盤をＡ区画と、前記Ａ区画から一つ離れてＢ区画と、前記Ａ区画とＢ区画との間をＣ区画とし、
前記区画の掘削順序をＡ区画、Ｂ区画、Ｃ区画として、且つ、各区画の掘削後にラップルコンクリートを打設しその後に他の区画に移行し、
前記山留壁に水平切梁および棚杭を設けないで掘削するものであり、
横方向におけるＣ区画の横幅は、他の区画の横幅よりも広く設定されていること、
を特徴とする分割掘削によるラップルコンクリート施工方法。
【発明の詳細な説明】
【技術分野】
【０００１】
本発明は、支持地盤が基礎底から比較的浅い場合に独立型基礎を構築する際における分割掘削によるラップルコンクリート施工方法に関するものである。
【背景技術】
【０００２】
従来、構造物を構築する際に、比較的浅い地盤層に基礎を構築するときに、支持地盤層に至るまで、無筋のコンクリートを打設してこれを支持地盤として本体基礎を構築する工法が行われている。例えば、特許文献１に記載されているように、予めラップルコンクリート基礎形状に適合した型枠を製作しておき、その型枠を所定の地盤までの掘削部にセットして、その型枠にラップルコンクリートを打設して、精度の高いラップルコンクリートを構築するとともに、型枠を予め製作しておくので、埋め戻しの掘削量を最小限に抑えることができる、という工法が知られている。
【先行技術文献】
【特許文献】
【０００３】
【特許文献１】特開平５−２１４７３２号公報
【発明の概要】
【発明が解決しようとする課題】
【０００４】
しかし、従来のラップルコンクリート施工方法においては、掘削深さが深い場合には、図７に示すように、支保工として、山留壁に崩落防止用の水平切梁とその棚杭とが必要となる。ラップルコン部分の掘削には、一次掘削の底に構台から掘削重機を下ろして掘削するので、前記水平切梁や棚杭が存在すると、掘削作業の邪魔となって掘削作業能率が低下する。また、前記水平切梁等の設置のために工期が掛かるとともにコストが嵩むことになると言う課題がある。本発明に係る分割掘削によるラップルコンクリート施工方法は、このような課題を解決するために提案されたものである。
【課題を解決するための手段】
【０００５】
本発明に係る分割掘削によるラップルコンクリート施工方法の上記課題を解決して目的を達成するための要旨は、掘削予定の地盤の周囲に山留壁を構築して前記地盤を一次掘削し、前記山留壁に沿って支持地盤まで掘削してラップルコンクリートを打設し、そのラップルコンクリートが硬化した後その上に基礎を構築するラップルコンクリート施工方法であって、前記支持地盤まで掘削する際に、掘削する地盤対象を山留壁に沿って横方向に所要幅で区画し、前記区画された掘削地盤をＡ区画と、前記Ａ区画から一つ離れてＢ区画と、前記Ａ区画とＢ区画との間をＣ区画とし、前記区画の掘削順序をＡ区画、Ｂ区画、Ｃ区画として、且つ、各区画の掘削後にラップルコンクリートを打設しその後に他の区画に移行し、前記山留壁に水平切梁および棚杭を設けないで掘削するものであり、前記Ｃ区画の山留壁における親杭は、他の区画の親杭よりも外形寸法及び肉厚寸法が大きく設定されていることである。
【０００６】
本発明に係る分割掘削によるラップルコンクリート施工方法の上記課題を解決して目的を達成するための要旨は、掘削予定の地盤の周囲に山留壁を構築して前記地盤を一次掘削し、前記山留壁に沿って支持地盤まで掘削してラップルコンクリートを打設し、そのラップルコンクリートが硬化した後その上に基礎を構築するラップルコンクリート施工方法であって、前記支持地盤まで掘削する際に、掘削する地盤対象を山留壁に沿って横方向に所要幅で区画し、前記区画された掘削地盤をＡ区画と、前記Ａ区画から一つ離れてＢ区画と、前記Ａ区画とＢ区画との間をＣ区画とし、前記区画の掘削順序をＡ区画、Ｂ区画、Ｃ区画として、且つ、各区画の掘削後にラップルコンクリートを打設しその後に他の区画に移行し、前記山留壁に水平切梁および棚杭を設けないで掘削するものであり、横方向におけるＣ区画の横幅は、他の区画の横幅よりも広く設定されていることである。
【発明の効果】
【０００７】
本発明の分割掘削によるラップルコンクリート施工方法によれば、山留壁の自立高さが高くなることからその費用が増えるものの、水平切梁と棚杭とが施工されることが無いので、全体の工期の短縮となるとともにコスト低減となる。また、一次掘削面で活動する掘削重機のための広い作業空間が確保され、掘削重機が自由に能率良く掘削作業ができるようになる。水平切梁支保工の中止により、先行工区から随時次工程に進捗することができ、工期短縮および労務の平準化が図れる、と言う優れた効果を奏するものである。
【図面の簡単な説明】
【０００８】
【図１】本発明に係る分割掘削によるラップルコンクリート施工方法を施工する掘削領域の全体平面図（Ａ）と、その一部拡大図（Ｂ）とである。
【図２】同本発明の分割掘削によるラップルコンクリート施工方法を説明する土層の説明図及び掘削縦断面図である。
【図３】同本発明の分割掘削によるラップルコンクリート施工方法の掘削手順を示す説明図である。
【図４】同本発明の分割掘削によるラップルコンクリート施工方法において、Ａ区画を掘削することを示す平面図（Ａ）と、Ａ区画にラップルコンクリートを打設することを説明する平面図（Ｂ）とである。
【図５】同本発明の分割掘削によるラップルコンクリート施工方法において、Ｂ区画の掘削を示す平面図（Ａ）と、Ｂ区画にラップルコンクリートを打設することを説明する平面図（Ｂ）とである。
【図６】同本発明の分割掘削によるラップルコンクリート施工方法において、Ｃ区画の掘削を示す平面図（Ａ）と、Ｃ区画にラップルコンクリートを打設することを説明する平面図（Ｂ）とである。
【図７】従来例に係るラップルコンクリート施工方法を説明する縦断面図である。
【発明を実施するための形態】
【０００９】
本発明に係る分割掘削によるラップルコンクリート施工方法は、図１（Ａ），（Ｂ）に示すように、ラップルコンクリートを打設する掘削領域を、分割してその分割した掘削領域を横に連続させないで交互に掘削していくようにしたことである。
【実施例１】
【００１０】
本発明の施工方法は、図１（Ａ）に示すように、掘削予定の地盤１の周囲に山留壁２を構築して前記地盤１を一次掘削し、前記山留壁２に沿って図２に示す支持地盤３まで掘削してラップルコンクリート４を打設し、そのラップルコンクリート４が硬化した後その上に基礎（図示せず）を構築するラップルコンクリート施工方法である。
【００１１】
前記山留壁２は、掘削深さが約１０ｍ程ほどにも達するので、自立高さを高くするために、Ｈ鋼の厚さや幅などのスペックは高めにする。また、図２に示すように、山留壁２に腹起し５を設けるが、水平切梁と棚杭とは設けない。作業区間を広く確保するためである。なお、この工法を行う地盤１は、その敷地全体に亘り自立性の高い地層であり、掘削断面をほぼ直掘りできるものである。
【００１２】
前記前記支持地盤３まで掘削する際に、掘削する地盤対象を山留壁２に沿って横方向に所要幅で区画し、前記区画された掘削地盤をＡ区画と、前記Ａ区画から一つ離れてＢ区画と、前記Ａ区画とＢ区画との間をＣ区画とする。なお、この実施例では、一次掘削深さが約７ｍで、ラップルコンクリート用の掘削深さが約４ｍ〜５ｍ程度である。
【００１３】
次に、図３に示すように、前記区画の掘削順序をＡ区画、Ｂ区画、Ｃ区画として、且つ、各区画の掘削後にラップルコンクリートを打設しその後に他の区画に移行する。図（Ａ）に示すように、Ａ区画の掘削を掘削重機で行う。このＡ区画の幅は、例えば、約３ｍとする。このＡ区画の掘削時の前記山留壁２に作用する土圧は、腹起し５を介してＣ区画の親杭が負担する。
【００１４】
そこで、前記Ｃ区画の山留壁２における親杭６としてのＨ型鋼サイズは、他のＡ区画，Ｂ区画の親杭７よりも外形寸法及び肉厚寸法が大きく設定されている。なお、このＣ区画には、山留壁２において前記親杭７が中央に１本、その両脇に親杭６が２本配設される。
【００１５】
前記Ａ区画を支持地盤３まで掘削したなら、次の日に、図４（Ｂ）に示すように、型枠は一切使用しないで、掘削後の土壁面を型枠代わりにしてラップルコンクリート４を打設する。そして、ラップルコンクリート４を硬化させる。
【００１６】
次に、図５（Ａ）に示すように、Ｂ区画を掘削重機で支持地盤３まで掘削する。このＢ区画の横幅は、例えば、３ｍである。このＢ区画を掘削するときも、前記山留壁２に作用する土圧は、腹起し５を介してＣ区画の親杭６が負担する。
【００１７】
図５（Ｂ）に示すように、前記支持地盤３まで掘削したＢ区画に、型枠を使用しないで、ラップルコンクリート４を打設する。そして、ラップルコンクリート４を硬化させる。
【００１８】
次に、図６（Ａ）に示すように、前記Ａ区画とＢ区画との間にある、Ｃ区画を掘削重機で掘削する。このＣ区画の横幅は、約４．５ｍであって、前記Ａ，Ｂ区画の横幅よりも広く設定されている。
【００１９】
このＣ区画の掘削のときは、腹起し５を介して前記ラップルコンクリートにより抑えられた前記Ａ区画，Ｂ区画の親杭７，７が土圧を負担する。このＡ区画とＢ区画とには、親杭７が２本ずつ配設されている。掘削後のＣ区画にラップルコンクリートを打設する。そして、ラップルコンクリート４を硬化させる。
【００２０】
このようにして、Ａ区画、Ｂ区画、Ｃ区画の順番に掘削及びラップルコンクリート打設を繰り返して、図１（Ａ）に示す根切り底にラップルコンクリートを所要範囲に形成し、この後、この上に基礎工を施工するものである。
【産業上の利用可能性】
【００２１】
本発明に係る分割掘削によるラップルコンクリート施工方法は、比較的地盤の固くて支持地盤が基礎底から浅い場合に適用することができる。
【符号の説明】
【００２２】
１          地盤、
２          山留壁、
３          支持地盤、
４          ラップルコンクリート、
５          腹起し、  
６          親杭、
７          親杭。
【図１】
0005814100.tif 000002
【図２】
0005814100.tif 000003
【図３】
0005814100.tif 000004
【図４】
0005814100.tif 000005
【図５】
0005814100.tif 000006
【図６】
0005814100.tif 000007
【図７】
0005814100.tif 000008